(57)【要約】      （修正有）【課題】口腔鏡に着脱可能で、吸引機能を備えた補助装置を提供する。【解決手段】握柄部３１の先端部にミラー部３２を設けた口腔鏡３０に設けられる口腔鏡補助装置であって、ミラー部３２が嵌合され口腔内に配される被嵌合部３を有し、この被嵌合部３には吸引機１０と連設され握柄部３１に添設される吸引管２が設けられ、この吸引管２の先端開口は被嵌合部３内に臨ましめられ、被嵌合部３内には被嵌合部３の内径を調整する調整体４が設けられ、この調整体４の内壁とミラー部３２の外壁との間には被嵌合部３の底部と連通する通気間隙５が設けられる。【選択図】図１
2019146945.tif 000002
【特許請求の範囲】
【請求項１】
握柄部の先端部にミラー部を設けた口腔鏡に設けられる口腔鏡補助装置であって、前記ミラー部が嵌合され口腔内に配される被嵌合部を有し、この被嵌合部には吸引機と連設され前記握柄部に添設される吸引管が設けられ、この吸引管の先端開口は前記被嵌合部内に臨ましめられ、前記被嵌合部内には該被嵌合部の内径を調整する調整体が設けられ、この調整体の内壁と前記ミラー部の外壁との間には前記被嵌合部の底部と連通する通気間隙が設けられていることを特徴とする口腔鏡補助装置。
【請求項２】
請求項１記載の口腔鏡補助装置において、前記ミラー部は平面視円形であり、また、前記被嵌合部も平面視円形の凹状部であることを特徴とする口腔鏡補助装置。
【請求項３】
請求項１，２いずれか１項に記載の口腔鏡補助装置において、前記吸引管の先端開口、前記被嵌合部の底部及び前記通気間隙は連通せしめられていることを特徴とする口腔鏡補助装置。
【請求項４】
請求項１〜３いずれか１項に記載の口腔鏡補助装置において、前記調整体は環状体であることを特徴とする口腔鏡補助装置。
【請求項５】
請求項１〜４いずれか１項に記載の口腔鏡補助装置において、前記調整体は、径の異なる複数の環状体で構成されていることを特徴とする口腔鏡補助装置。
【請求項６】
請求項１〜５いずれか１項に記載の口腔鏡補助装置において、前記調整体の外壁は前記被嵌合部の内壁と当接し、前記調整体の内壁にして先端寄りには、厚さ方向に長さを有する複数の凹溝が周方向に並設されて前記通気間隙として構成されていることを特徴とする口腔鏡補助装置。
【請求項７】
請求項１〜６いずれか１項に記載の口腔鏡補助装置において、前記通気間隙からの吸引により前記ミラー部の表面に、この表面と平行な吸引流が生じるように構成したことを特徴とする口腔鏡補助装置。
【請求項８】
請求項７記載の口腔鏡補助装置において、前記被嵌合部の開口縁に内方へ突出する鍔状部を設けて前記ミラー部の表面に、この表面と平行な吸引流が生じるように構成したことを特徴とする口腔鏡補助装置。
【発明の詳細な説明】
【技術分野】
【０００１】
本発明は、口腔鏡補助装置に関するものである。
【背景技術】
【０００２】
歯科治療において、例えば術者が直視できない上あごの歯を治療する場合、術者は治療器具としてのタービン（回転切削器具）を持つ手と反対の手に口腔鏡を持って治療を行うが、この際、タービンから出る冷却水（患部に発生する摩擦熱を冷却する水）や口腔内を洗浄する洗浄液などが口腔鏡（ミラー部）に付着すると見えにくくなる為、吸引機から延設される管状の吸引具により口腔鏡（ミラー部）に付着した水などを除去しているが、口腔鏡（ミラー部）が見えにくくなるたびに吸引具に持ち替えていたのでは作業性が悪く、また、吸引具をスタッフに操作させていたのでは二人掛かりの治療となり非効率である。
【０００３】
そこで、従来においても、例えば特開２００５−１３７８６５号に開示されるような液体除去機能を具備した口腔鏡（以下、従来例）が提案されている。
【０００４】
この従来例は、先端部にミラー部が設けられる握柄を中空体で構成し、ミラー部近傍に吸気口が開口形成されるとともに、握柄の基端部に吸引機の吸引ホースが接続される構造である。
【０００５】
従って、吸引機を作動させると、ミラー部に付着した水などは、吸気口，握柄内及び吸引ホースを通過して吸引除去され、ミラー部による視界が確保されることになり、術者は術中に吸引具に持ち替える必要はなく、一人で歯科治療が良好に行え、前述した問題点は解消されることになる。
【先行技術文献】
【特許文献】
【０００６】
【特許文献１】特開２００５−１３７８６５号公報
【発明の概要】
【発明が解決しようとする課題】
【０００７】
ところで、口腔鏡のミラー部は、種々のサイズが提案され、術者の好みや治療する部位に応じて使い分けられているが、従来例は、その構造上、サイズごとに専用のものを製作しなければならず、コスト高となる。
【０００８】
本発明は、前述した問題点を解消する、従来にない非常に実用的な口腔鏡補助装置を提供する。
【課題を解決するための手段】
【０００９】
添付図面を参照して本発明の要旨を説明する。
【００１０】
握柄部31の先端部にミラー部32を設けた口腔鏡30に設けられる口腔鏡補助装置であって、前記ミラー部32が嵌合され口腔内に配される被嵌合部３を有し、この被嵌合部３には吸引機10と連設され前記握柄部31に添設される吸引管２が設けられ、この吸引管２の先端開口２ａは前記被嵌合部３内に臨ましめられ、前記被嵌合部３内には該被嵌合部３の内径を調整する調整体４が設けられ、この調整体４の内壁４ａと前記ミラー部32の外壁32ａとの間には前記被嵌合部３の底部３ａと連通する通気間隙５が設けられていることを特徴とする口腔鏡補助装置に係るものである。
【００１１】
また、請求項１記載の口腔鏡補助装置において、前記ミラー部32は平面視円形であり、また、前記被嵌合部３も平面視円形の凹状部であることを特徴とする口腔鏡補助装置に係るものである。
【００１２】
また、請求項１，２いずれか１項に記載の口腔鏡補助装置において、前記吸引管２の先端開口２ａ、前記被嵌合部３の底部３ａ及び前記通気間隙５は連通せしめられていることを特徴とする口腔鏡補助装置に係るものである。
【００１３】
また、請求項１〜３いずれか１項に記載の口腔鏡補助装置において、前記調整体４は環状体であることを特徴とする口腔鏡補助装置に係るものである。
【００１４】
また、請求項１〜４いずれか１項に記載の口腔鏡補助装置において、前記調整体４は、径の異なる複数の環状体で構成されていることを特徴とする口腔鏡補助装置に係るものである。
【００１５】
また、請求項１〜５いずれか１項に記載の口腔鏡補助装置において、前記調整体４の外壁４ｂは前記被嵌合部３の内壁３ｂと当接し、前記調整体４の内壁４ａにして先端寄りには、厚さ方向に長さを有する複数の凹溝５ａが周方向に並設されて前記通気間隙５として構成されていることを特徴とする口腔鏡補助装置に係るものである。
【００１６】
また、請求項１〜６いずれか１項に記載の口腔鏡補助装置において、前記通気間隙５からの吸引により前記ミラー部32の表面に、この表面と平行な吸引流が生じるように構成したことを特徴とする口腔鏡補助装置に係るものである。
【００１７】
また、請求項７記載の口腔鏡補助装置において、前記被嵌合部３の開口縁に内方へ突出する鍔状部６を設けて前記ミラー部32の表面に、この表面と平行な吸引流が生じるように構成したことを特徴とする口腔鏡補助装置に係るものである。
【発明の効果】
【００１８】
本発明は上述のように構成したから、既存の口腔鏡に液体除去機能を確実に付与することができるなど、従来にない非常に実用的な口腔鏡補助装置となる。
【図面の簡単な説明】
【００１９】
【図１】実施例１を示す斜視図である。
【図２】実施例１の要部を示す分解斜視図である。
【図３】実施例１の要部を示す平面図である。
【図４】実施例１の要部を説明する断面図である。
【図５】実施例２の要部を示す分解斜視図である。
【図６】実施例２の要部を説明する断面図である。
【発明を実施するための形態】
【００２０】
好適と考える本発明の実施形態を、図面に基づいて本発明の作用を示して簡単に説明する。
【００２１】
吸引機10を作動させると、ミラー部32に付いた水などの液体Ｌは、通気間隙５，被嵌合部３内及び吸引管２を通過して吸引除去され、ミラー部32による視界が確保される。
【００２２】
従って、前述した従来例と同様、術者は術中に吸引具に持ち替える必要はなく、一人で歯科治療が良好に行えることになる。
【００２３】
また、本発明は、被嵌合部３内には該被嵌合部３の内径を調整する調整体４が設けられており、この調整体４により種々のサイズのミラー部32に対応することができる。
【００２４】
従って、既存の口腔鏡30に液体除去機能を確実に付与することができ、前述した従来例のようにサイズごとに専用のものを用意する必要が無く、コスト安となる。
【実施例１】
【００２５】
本発明の具体的な実施例１について図面に基づいて説明する。
【００２６】
本実施例は、握柄部31の先端部にミラー部32を設けた口腔鏡30に設けられる口腔鏡補助装置であって、ミラー部32が嵌合され口腔内に配される被嵌合部３を有し、この被嵌合部３には吸引機10と連設され握柄部31に添設される吸引管２が設けられ、この吸引管２の先端開口２ａは被嵌合部３内に臨ましめられ、被嵌合部３内には該被嵌合部３の内径を調整する調整体４が設けられ、この調整体４の内壁４ａとミラー部32の外壁32ａとの間には被嵌合部３の底部３ａと連通する通気間隙５が設けられたものである。
【００２７】
尚、本実施例で使用される口腔鏡30は周知構造のものであり、ミラー部32が握柄部31の先端部に着脱自在となるタイプのものを採用している。
【００２８】
以下、本実施例に係る構成各部について詳細な説明をする。
【００２９】
被嵌合部３は、図１〜４に図示したように適宜な合成樹脂製の部材（ポリプロピレン若しくはシリコン）で形成された平面視円形の有底筒状体であり、底部３ａの周縁に立ち上がる周壁の基端寄り下方位置には、後述する吸引管２を貫通する貫通孔３ｃが設けられている。
【００３０】
従って、この被嵌合部３の貫通孔３ｃに吸引管２の先端部を貫通状態に設けることで、該吸引管２の先端開口２ａが被嵌合部３内に臨ましめられる。
【００３１】
符号３ｄは口腔鏡30の握柄部31の先端部位を位置決め係合する凹部である。
【００３２】
吸引管２は、図１，２に図示したように適宜な金属製の部材（アルミニウム，ステンレス若しくはチタン）で形成された管状体であり、この吸引管２の先端部は被嵌合部３に連結され、基端部には吸引ホース11を介して吸引機10が連設されている。
【００３３】
従って、吸引機10の吸引により吸引管２を介して被嵌合部３内の空気が吸引される。
【００３４】
また、吸引管２の周面には握柄連結部１が設けられている。
【００３５】
この握柄連結部１は、図１に図示したように適度な弾性を有する合成樹脂製の部材で形成されたものであり、吸引管２に被嵌する被嵌部１ａと、この被嵌部１ａの周面前後位置に設けられ口腔鏡30の握柄部31を嵌合状態に保持する凹状の保持部１ｂとで構成されている。
【００３６】
この保持部１ｂは径が拡縮することで径の異なる握柄部31を保持することができる。
【００３７】
また、本実施例は、被嵌合部３内には該被嵌合部３の内径を調整する調整体４が設けられている。
【００３８】
この調整体４は、図１〜４に図示したように適宜な合成樹脂製の部材（ポリプロピレン若しくはシリコン）で形成された平面視円形の環状体であり、この調整体４の外壁４ｂが被嵌合部３の内壁３ｂに添設状態となるように該被嵌合部３に嵌合配設されるサイズに設けられている。
【００３９】
また、調整体４の内面上下方向の中央位置には、周方向に長さを有する凹条部４ｃが設けられており、この凹条部４ｃはミラー部32の周縁部が凹凸係合するように設けられている。
【００４０】
従って、この調整体４を介して、被嵌合部３にミラー部32を嵌合配設した際、ミラー部32は被嵌合部３の底部３ａから所定高さ位置に配置され、この被嵌合部３の内面（底部３ａ及び内壁３ｂ）とミラー部32の裏面部との間に吸引管２と連通状態となる空間が形成される。
【００４１】
また、調整体４の外壁４ｂは、被嵌合部３の内壁３ｂと当接し、調整体４の内壁４ａにして先端寄りには、長さ方向（上下方向）に深さを有する複数の凹溝５ａが周方向に並設されて通気間隙５として構成されている。
【００４２】
従って、吸引機10からの吸引により、ミラー部32の表面上の空気が、通液間隙部５，空間及び吸引管２を介して吸引される。
【００４３】
また、調整体４の基端寄り上方位置には、口腔鏡30の握柄部31の先端部位を位置決め係合する凹部４ｄが設けられ、調整体４の基端寄り下方位置には、吸引管２を貫通する貫通孔４ｅが設けられている。
【００４４】
従って、この調整体４の貫通孔４ｅに吸引管２の先端部を貫通状態に設けることで、該吸引管２の先端開口２ａが被嵌合部３及び調整体４内に臨ましめられる。
【００４５】
また、本実施例では、図３に図示したように調整体４として外径は被嵌合部３に嵌合するそのままの寸法で、内径の異なる（放射方向への厚みが異なる）複数の調整体４が設けられている。
【００４６】
従って、この調整体４を介してサイズ（外径）の異なるミラー部32を被嵌合部３に嵌合させることができ、既存の口腔鏡30に液体除去機能を確実に付与することができる。
【００４７】
尚、本実施例では、ミラー部32のサイズに対応するために該ミラー部32の各サイズに合った内径を有する複数の調整体４（環状体）を設けているが、例えば径の異なる環状体同士を径方向に重ねて調整する構造でも良く、その他にも、径が拡縮する構造を備えた一つの環状体で構成しても良い。
【００４８】
本実施例は上述のように構成したから、吸引機10を作動させると、ミラー部32に付いた水などの液体Ｌは、通気間隙５，被嵌合部３内及び吸引管２を通過して吸引除去され、ミラー部32による視界が確保される。
【００４９】
よって、本実施例によれば、術者は術中に吸引具に持ち替える必要はなく、一人で歯科治療が良好に行えることになる。
【００５０】
また、本実施例は、被嵌合部３内には該被嵌合部３の内径を調整する調整体４が設けられており、この調整体４を取り換えるだけで、種々のサイズのミラー部32に対応することができる。
【００５１】
従って、既存の口腔鏡30に液体除去機能を確実に付与することができ、前述した従来例のようにサイズごとに専用のものを用意する必要が無く、コスト安となる。
【００５２】
また、本実施例は、ミラー部32は平面視円形であり、また、被嵌合部３も平面視円形の凹状部であるから、口腔内に入れるものとして違和感なく使用することができる。
【００５３】
また、本実施例は、吸引管２の先端開口２ａと、被嵌合部３の底部３ａと、前記通気間隙５とは連通せしめられているから、前述した作用効果を確実に発揮することになる。
【００５４】
また、本実施例は、調整体４は環状体であるから、簡易構造でありながら確実に前述した作用効果を発揮することになる。
【００５５】
また、本実施例は、調整体４の外壁４ｂは被嵌合部３の内壁３ｂと当接し、調整体４の内壁４ａにして先端寄りには、厚さ方向に深さを有する複数の凹溝５ａが周方向に並設されて通気間隙５として構成されているから、ミラー部32の表面の液体Ｌを確実に吸引除去することができる。
【実施例２】
【００５６】
本発明の具体的な実施例２について図面に基づいて説明する。
【００５７】
本実施例は、図５，６に図示したように通気間隙５からの吸引によりミラー部32の表面に、この表面と平行な吸引流が生じるように構成した場合である。
【００５８】
具体的には、被嵌合部３の開口縁に内方へ突出する鍔状部６が設けられており、この鍔状部６が通気間隙５の上方部位（被嵌合部３の上部開口部の前方部位）を覆うように設けることで、ミラー部32の表面の面方向に吸引流が生じ、液体Ｌ（水滴）が通気間隙５に吸い込まれることになる。
【００５９】
尚、鍔状部６は、特に吸引機10の吸引力が弱い場合にその機能を発揮することになり、吸引機10の吸引力が強い場合には、実施例１のように鍔状部６が無くても吸引作用が発揮され、ミラー部32の表面の液体Ｌ（水滴）は吸引除去される。
【００６０】
また、本実施例では、被嵌合部３の内壁３ｂ対向位置に一対の凸部７ａを設けるとともに、この凸部７ａが凹凸係合する一対の凹部７ｂを調整体４の外壁４ｂ対向位置に設けており、被嵌合部３に調整体４を嵌合させた際、凸部７ａと凹部７ｂが凹凸係合することで調整体４の抜け止め作用が発揮されるように構成されている。尚、被嵌合部３に凹部７ｂを設け、調整体４に凸部７ａを設けても良い。
【００６１】
その余は実施例１と同様である。
【００６２】
尚、本発明は、実施例１，２に限られるものではなく、各構成要件の具体的構成は適宜設計し得るものである。
【符号の説明】
【００６３】
２  吸引管
２ａ  先端開口
３  被嵌合部
３ａ  底部
３ｂ  内壁
４  調整体
４ａ  内壁
４ｂ  外壁
５  通気間隙
５ａ  凹溝
６  鍔状部
10  吸引機
30  口腔鏡
31  握柄部
32  ミラー部
32ａ  外壁
【図１】
2019146945.tif 000003
【図２】
2019146945.tif 000004
【図３】
2019146945.tif 000005
【図４】
2019146945.tif 000006
【図５】
2019146945.tif 000007
【図６】
2019146945.tif 000008